(57)【要約】      （修正有）【課題】柑橘類収穫時において果実の規格測定と収穫作業を一動作でできる柑橘類収穫用のはさみを提供する。【解決手段】はさみ１０の先端は止めネジ１を設けるため円型の幅広とし、内側に切断刃２を数ｃｍ、切断刃２の内側の柄の部分に閉じた状態で果実の規格を判別するための規格サイズの大きさの円形ができるように、それぞれの柄の部分に半円形３を形成する。切断刃２は果実を収穫するときに大きく拡げなくてもよいように、少しの動作で切断刃２が開くように角度をつける。半円形３から切断刃２の間は果皮を傷つけないように少し切断刃２のない空間６を設ける。また、切断刃２の片方は直線でなく滑らないようにＣ字型くぼみ７を形成する。閉じた状態で果実の大きさを判別し、収穫はハンドル（親指輪・止指輪）５で柄を開き、開いた切断刃２の部分に枝を挟みハンドル（親指輪・止指輪）５で柄を閉じて枝を切断し収穫する。【選択図】図１
0003160503.tif 000002
【実用新案登録請求の範囲】
【請求項１】
収穫用はさみにおいて、切断刃と柑橘類（スダチ等）の規格サイズの大きさを判      別するための円形を持ち、果実の規格選定と収穫作業が少しの開閉動作で同一線      上で一動作で出来る収穫専用はさみ。
【請求項２】
はさみの開作業を補助し、開きすぎないようにするためにばねを取り付ける収穫専用はさみ。
【考案の詳細な説明】
【技術分野】
【０００１】
本考案は、柑橘類収穫時において果実の規格測定と収穫作業を一動作でできる柑橘    類収穫用のはさみに関するものである。
【背景技術】
【０００２】
柑橘類を高値が付く時期に高値が付く規格品だけを収穫したいが、規格判別ができ    る専用はさみをがなく、商品規格判別は目測によっている。
【先行技術文献】
【特許文献】
【０００３】
【特許文献１】実用新案登録第３１５５０１２号
【考案の概要】
【考案が解決しようとする課題】
【０００４】
柑橘類収穫作業の現場では、従事者の経験を問わず商品価値の高い規格に合った収    穫が素早くでき，さらにはさみ取り扱い作業で手指に対する安全なはさみが求めら    れている。
【課題を解決するための手段】
【０００５】
本考案は、はさみを閉じた状態で規格サイズに合った円形中空をつくるため、規格    判定が容易になり、はさみを開いて果実を円形の枠から中に入れ、果実の枝を開いた切断刃を閉じることで、柑橘類の商品価値をおとすことなく未経験の作業者も安全に収穫作業ができるようになり、上記課題を解決する柑橘収穫はさみである。
【考案の効果】
【０００６】
柑橘類の収穫作業経験の少ない者には、規格サイズの判定は難しく引き取られない    規格サイズ外の収穫作業を繰り返していた。そのため、この考案になるはさみを使    えば経験のない素人でも素早く収穫をすることが出来るようになる。また、はさみの先端を円型にすることによって今までのように鋭利な先端で自分の指や果実を傷つけることなく、スプリングによって小さな握力で開きすぎることなく安全に効率よく収穫出来る優れたものである。
【図面の簡単な説明】
【０００７】
【図１】本考案の第１実施形態である。
【図２】本考案の第２実施形態である。
【考案を実施するための形態】
【０００８】
図１に示すように、第１実施形態のはさみ10の先端は止めネジ１を設けるため円型    の幅広とし内側に切断刃２を数ｃｍ、切断刃２の内側の柄の部分に閉じた状態で果    実の規格を判別するための規格サイズの大きさの円形ができるように、それぞれの柄の部分に半円形３を形成する。
切断刃２は果実を収穫するときに大きく拡げなくてもよいように、少しの動作で切    断刃２が開くように角度をつける。半円形３から切断刃２の間は果皮を傷つけない    ように少し切断刃２のない空間６を設ける。
また、切断刃２の片方は直線でなく滑らないようにＣ字型くぼみ７を形成する。
閉じた状態で果実の大きさを判別し、収穫はハンドル（親指輪・止指輪）５で柄を    開き、開いた切断刃２の部分に枝を挟みハンドル（親指輪・止指輪）５で柄を閉じ    て枝を切断し収穫する。
図２に示すように、第２実施形態のはさみ20は既存の芽摘みはさみを改良して、止め    ネジ１の先に切断刃２を数cm付け、切断刃２の先は刃を付けずに閉じた状態で果実の    規格を判別するための規格サイズにあった円形を形成するようにそれぞれの柄に半円    形３を形成する。
【０００９】
図１の第１実施形態のはさみ10は規格判別の円形とハンドル（親指輪・止指輪）５   の間に自動的に開き、開きすぎないようにするスプリング４を設ける。
図２の第２実施形態のはさみ20は、止めネジ１とハンドル（親指輪・止指輪）５の間に  自動的に開き、開きすぎないようにするスプリング４を設ける。
【００１０】
上記工程で作成したはさみは、柑橘類の収穫に際し、指や果実を傷つけることなく閉  じた状態で果実を規格サイズの円形に入れて、入らない大きい果実のみハンドル（親指輪・止指輪）５で柄をを開いて円形内に入れ切断刃２を閉じて収穫ができる。
【符号の説明】
【００１１】
１・・・止めネジ
２・・・切断刃
３・・・規格判別用半円形
４・・・スプリング
５・・・ハンドル（親指輪・止指輪）
６・・・刃を付けない部分
７・・・Ｃ字型くぼみ
１０・・・はさみ（第１実施形態）
２０・・・はさみ（第２実施形態）
【図１】
0003160503.tif 000003
【図２】
0003160503.tif 000004
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
留めネジを有してスダチ等の柑橘類の果実を収穫する切断刃を設け、該切断刃に隣接して果実の規格を判別するための半円形を合わせた円形と切断刃を開閉するハンドルを設けたことを特徴とする収穫専用はさみ。
【請求項２】
切断刃開閉ハンドルの開閉が円形と開閉ハンドルの間にあるスプリングにより補助されていることを特徴とする請求項１記載の収穫専用はさみ。
【請求項３】
円形と切断刃が留めネジに対し開閉ハンドルの同じ側にある請求項１又は２に記載の収穫専用はさみ。
【請求項４】
円形と切断刃が留めネジを挟んで開閉ハンドルの反対側にある請求項１又は２に記載の収穫専用はさみ。
【手続補正２】
【補正対象書類名】明細書
【補正対象項目名】０００８
【補正方法】変更
【補正の内容】
【０００８】    図１に示すように、第１実施形態のはさみ１０の先端は止めネジ１を設けるため円形の幅広とし内側に切断刃２を数ｃｍ、切断刃２の内側の柄の部分に閉じた状態で果実の規格を判別するための規格サイズの大きさの円形ができるように、それぞれの柄の部分に半円形３を形成する。
切断刃２は果実を収穫するときに大きく拡げなくてもよいように、少しの動作で切断刃２が開くように角度をつける。半円形３から切断刃２の間は果皮を傷つけないように少し切断刃２のない空間６を設ける。
また、切断刃２の片方は直線でなく滑らないようにＣ字型くぼみ７を形成する。
図２に示すように、第２実施形態のはさみ２０は既存の芽摘みはさみを改良して、止めネジ１の先に切断刃２を数ｃｍ付け、切断刃２の先は刃を付けずに閉じた状態で果実の規格を判別するための規格サイズにあった円形を形成するようにそれぞれの柄に半円形３を形成する。
本考案は以上のような構造であるから、半円型３を閉じた状態の円形で果実の規格判別を行い、円形の上に残った規格サイズ以上の果実をハンドル（親指輪・止指輪）５を開いて円形を開け、果実を円形の下にすり抜けさせると共に、開いた切断刃２に枝を挟みハンドル（親指輪・止指輪）５を閉じて切断刃２で枝を切断し果実を収穫する事ができる。